(57)【要約】      （修正有）【課題】ログイン処理におけるユーザの手間を軽減することができるログイン処理実行方法を提供する。【解決手段】通信システムは、設定電波強度以上の受信電波強度の第１の信号が受信された場合、第１の信号の受信電波強度と、第１の信号を受信した後に受信された第２の信号の受信電波強度との差に基づいてＭＦＰへのログイン処理を行う。【選択図】図４
2017069903.tif 000002
【特許請求の範囲】
【請求項１】
画像形成装置から定期的に送信される信号を携帯端末が受信し、前記受信された信号に基づいて前記画像形成装置及び前記携帯端末の間で無線通信を行い、前記無線通信による前記画像形成装置へのログイン処理を実行するログイン処理実行方法であって、
前記受信された各信号の電波の強度を示す電波強度を測定する測定ステップと、
前記受信された各信号の電波強度が、設定された閾値以上であるか否かを判別する判別ステップと、
前記閾値以上の電波強度の第１の信号を受信した場合、前記第１の信号の電波強度と、前記第１の信号を受信した後に受信された第２の信号の電波強度との差に基づいて前記画像形成装置へのログイン処理を実行するログイン実行ステップとを備えることを特徴とするログイン処理実行方法。
【請求項２】
前記ログイン実行ステップは、前記第２の信号の電波強度から前記第１の信号の電波強度を減算した値が、設定された設定値以上である場合、前記画像形成装置へのログイン処理を実行することを特徴とする請求項１記載のログイン処理実行方法。
【請求項３】
前記携帯端末がユーザに所持され、
前記ユーザが前記画像形成装置を操作可能な位置に所定の期間以上に亘って留まっているか否かを特定する特定ステップを更に備え、
前記ログイン実行ステップは、前記ユーザが前記画像形成装置を操作可能な位置に所定の期間以上に亘って留まっている場合、前記画像形成装置へのログイン処理を実行することを特徴とする請求項１又は２記載のログイン処理実行方法。
【請求項４】
前記ログイン処理を実行する旨を通知する通知ステップを更に備えることを特徴とする請求項１乃至３のいずれか１項に記載のログイン処理実行方法。
【請求項５】
前記画像形成装置へのログイン処理が完了した後に受信された第３の信号の電波強度が前記閾値より小さい場合、前記画像形成装置からのログアウト処理を実行するログアウト実行ステップを更に備えることを特徴とする請求項１乃至４のいずれか１項に記載のログイン処理実行方法。
【請求項６】
前記無線通信は、ＢＬＥ（Ｂｌｕｅｔｏｏｔｈ  Ｌｏｗ  Ｅｎｅｒｇｙ）通信を含むことを特徴とする請求項１乃至５のいずれか１項に記載のログイン処理実行方法。
【請求項７】
画像形成装置から定期的に送信される信号を携帯端末が受信し、前記受信された信号に基づいて前記画像形成装置及び前記携帯端末の間で無線通信を行い、前記無線通信による前記画像形成装置へのログイン処理を実行するログイン処理実行方法をコンピュータに実行させるプログラムであって、
前記ログイン処理実行方法は、
前記受信された各信号の電波の強度を示す電波強度を測定する測定ステップと、
前記受信された各信号の電波強度が、設定された閾値以上であるか否かを判別する判別ステップと、
前記閾値以上の電波強度の第１の信号を受信した場合、前記第１の信号の電波強度と、前記第１の信号を受信した後に受信された第２の信号の電波強度との差に基づいて前記画像形成装置へのログイン処理を実行するログイン実行ステップとを備えることを特徴とするプログラム。
【請求項８】
画像形成装置から定期的に送信される信号を受信し、前記受信された信号に基づいて前記画像形成装置と無線通信を行い、前記無線通信による前記画像形成装置へのログイン処理を実行する携帯端末であって、
前記受信された各信号の電波の強度を示す電波強度を測定する測定手段と、
前記受信された各信号の電波強度が、設定された閾値以上であるか否かを判別する判別手段と、
前記閾値以上の電波強度の第１の信号を受信した場合、前記第１の信号の電波強度と、前記第１の信号を受信した後に受信された第２の信号の電波強度との差に基づいて前記画像形成装置へのログイン処理を実行するログイン実行手段とを備えることを特徴とする携帯端末。
【請求項９】
前記ログイン実行手段は、前記第２の信号の電波強度から前記第１の信号の電波強度を減算した値が、設定された設定値以上である場合、前記画像形成装置へのログイン処理を実行することを特徴とする請求項８記載の携帯端末。
【請求項１０】
ユーザに所持され、
前記ユーザが前記画像形成装置を操作可能な位置に所定の期間以上に亘って留まっているか否かを特定する特定手段を更に備え、
前記ログイン実行手段は、前記ユーザが前記画像形成装置を操作可能な位置に所定の期間以上に亘って留まっている場合、前記画像形成装置へのログイン処理を実行することを特徴とする請求項８又は９記載の携帯端末。
【請求項１１】
前記ログイン処理を実行する旨を通知する通知手段を更に備えることを特徴とする請求項８乃至１０のいずれか１項に記載の携帯端末。
【請求項１２】
前記画像形成装置へのログイン処理が完了した後に受信された第３の信号の電波強度が前記閾値より小さい場合、前記画像形成装置からのログアウト処理を行うログアウト実行手段を更に備えることを特徴とする請求項８乃至１１のいずれか１項に記載の携帯端末。
【請求項１３】
前記無線通信は、ＢＬＥ（Ｂｌｕｅｔｏｏｔｈ  Ｌｏｗ  Ｅｎｅｒｇｙ）通信を含むことを特徴とする請求項８乃至１２のいずれか１項に記載の携帯端末。
【発明の詳細な説明】
【技術分野】
【０００１】
本発明は、ログイン処理実行方法、プログラム、及び携帯端末に関し、特に、近距離無線通信によって無線接続を行うログイン処理実行方法、プログラム、及び携帯端末に関する。
【背景技術】
【０００２】
Ｂｌｕｅｔｏｏｔｈ（登録商標）やＮＦＣ等を用いた近距離無線通信を携帯端末等との間で実行可能な画像形成装置としてのＭＦＰが知られている。ユーザは、近距離無線通信を実行可能な携帯端末等をＭＦＰに設けられる通信部にかざすことで、近距離無線通信による無線接続（以下、「ペアリング」という。）を容易に行うことができる。ペアリングが行われると、携帯端末及びＭＦＰでは、例えば、近距離無線通信より大容量のデータ通信を実行可能な無線通信であるＷｉ−ｆｉを用いた無線通信（以下、「Ｗｉ−ｆｉ通信」という。）を実行するための通信設定処理が行われる。これにより、Ｗｉ−ｆｉ通信によって携帯端末からＭＦＰに、印刷処理を実行するための大容量の印刷データ等が送信され、当該印刷データに基づいてＭＦＰで印刷処理が実行される。
【０００３】
ところで、ＭＦＰは、ユーザが当該ＭＦＰを使用する前提としてログイン処理を実行する。ログイン処理では、ＭＦＰが、当該ユーザを特定するユーザＩＤ等のユーザ特定情報を取得し、取得されたユーザ特定情報に基づいてログインを許可するか否かを判別する。ＭＦＰは、当該ＭＦＰに設けられるカードリーダにユーザ特定情報を有するＩＣカードが差し込まれると、ＩＣカードからユーザ特定情報を取得する（例えば、特許文献１参照）。また、ＭＦＰはペアリングされた携帯端末等からＷｉ−ｆｉ通信によって大容量のユーザ特定情報を取得することも可能である。
【先行技術文献】
【特許文献】
【０００４】
【特許文献１】特開２０１１−２２７７６０号公報
【発明の概要】
【発明が解決しようとする課題】
【０００５】
しかしながら、ログイン処理において、ＭＦＰがユーザ特定情報を取得する際、ユーザがＩＣカードをカードリーダに差し込む、若しくはユーザがペアリングを行うために携帯端末をＭＦＰの通信部にかざすといった操作を行う手間が発生する。
【０００６】
本発明の目的は、ログイン処理におけるユーザの手間を軽減することができるログイン処理実行方法、プログラム、及び携帯端末を提供することにある。
【課題を解決するための手段】
【０００７】
上記目的を達成するために、本発明のログイン処理実行方法は、画像形成装置から定期的に送信される信号を携帯端末が受信し、前記受信された信号に基づいて前記画像形成装置及び前記携帯端末の間で無線通信を行い、前記無線通信による前記画像形成装置へのログイン処理を実行するログイン処理実行方法であって、前記受信された各信号の電波の強度を示す電波強度を測定する測定ステップと、前記受信された各信号の電波強度が、設定された閾値以上であるか否かを判別する判別ステップと、前記閾値以上の電波強度の第１の信号を受信した場合、前記第１の信号の電波強度と、前記第１の信号を受信した後に受信された第２の信号の電波強度との差に基づいて前記画像形成装置へのログイン処理を実行するログイン実行ステップとを備えることを特徴とする。
【発明の効果】
【０００８】
本発明によれば、ログイン処理におけるユーザの手間を軽減することができる。
【図面の簡単な説明】
【０００９】
【図１】本発明の実施の形態に係る携帯端末を含む通信システムの構成を概略的に示すブロック図である。
【図２】図１における携帯端末の構成を概略的に示すブロック図である。
【図３】図１におけるＭＦＰの構成を概略的に示すブロック図である。
【図４】図１における携帯端末で実行される制御処理の手順を示すフローチャートである。
【図５】図２における操作表示部に表示される各種画面の一例を示す図であり、図５（ａ）はログインアプリケーションの起動を設定する設定画面を示し、図５（ｂ）はログイン処理が完了した旨を通知する通知画面を示し、図５（ｃ）はログインアプリケーションの終了を設定する設定画面を示し、図５（ｄ）はログイン処理を実行する旨を通知する通知画面を示す。
【図６】図１における携帯端末の受信電波強度の特性を説明するための図である。
【図７】図１における携帯端末がＭＦＰに近付いている場合を説明するための図である。
【発明を実施するための形態】
【００１０】
以下、本発明の実施の形態を図面を参照しながら詳述する。
【００１１】
本実施の形態では、Ｂｌｕｅｔｏｏｔｈを用いた近距離無線通信（以下、「Ｂｌｕｅｔｏｏｔｈ通信」という。）を実行可能な画像形成装置としてのＭＦＰに本発明を適用した場合について説明するが、本発明の適用先はＭＦＰに限られず、Ｂｌｕｅｔｏｏｔｈ通信を実行可能な画像形成装置であれば本発明を適用することができる。
【００１２】
図１は、本発明の実施の形態に係る携帯端末１０１を含む通信システム１００の構成を概略的に示すブロック図である。
【００１３】
図１において、通信システム１００は、携帯端末１０１及び画像形成装置としてのＭＦＰ１０２を備える。
【００１４】
携帯端末１０１はスマートフォン及びタブレット型パソコン等を含む。携帯端末１０１は、ＮＦＣやＢｌｕｅｔｏｏｔｈを用いた近距離無線通信、及びＷｉ−ｆｉ通信等を含む無線通信を実行可能である。以下、ＮＦＣを用いた近距離無線通信はＮＦＣ通信として説明する。Ｂｌｕｅｔｏｏｔｈ通信は、ＢＬＥ（Ｂｌｕｅｔｏｏｔｈ  Ｌｏｗ  Ｅｎｅｒｇｙ）を用いた近距離無線通信（以下、「ＢＬＥ通信」という。）を含む。ＭＦＰ１０２は印刷処理、スキャン処理、及びＦＡＸ処理等を含む各種処理や、上記各種無線通信を実行可能である。携帯端末１０１及びＭＦＰ１０２は、ＢＬＥ通信やＮＦＣ通信等の近距離無線通信によってペアリングを行い、近距離無線通信より大容量のデータ通信が可能なＷｉ−ｆｉ通信の通信設定処理を行う。これにより、携帯端末１０１は、Ｗｉ−ｆｉ通信により、当該携帯端末１０１を所持するユーザの大容量のユーザ特定情報（以下、単に「携帯端末１０１のユーザ特定情報」という。）をＭＦＰ１０２へ送信可能になる。その結果、通信システム１００では、ユーザが携帯端末１０１を用いてＭＦＰ１０２にログインするログイン処理が実行可能になる。通信システム１００では、例えば、ＢＬＥ通信を用いてペアリングを行う際、ＭＦＰ１０２は、ペアリングに用いられるビーコン信号を定期的に送信する。ビーコン信号はＭＦＰ１０２を特定する機器特定情報やビーコン信号を送信する電波の強度（以下、「送信電波強度」という。）を含む。携帯端末１０１は、ＭＦＰ１０２から送信されるビーコン信号を受信すると、受信されたビーコン信号に基づいてＭＦＰ１０２とペアリングを行う。また、携帯端末１０１は、受信されたビーコン信号の電波の強度（以下、「受信電波強度」という。）と、受信されたビーコン信号に含まれる送信電波強度に基づいてＭＦＰ１０２との距離を測定可能である。
【００１５】
図２は、図１における携帯端末１０１の構成を概略的に示すブロック図である。
【００１６】
図２において、携帯端末１０１は、制御部２０１、操作表示部２０２、通話部２０３、音声用アンテナ２０４、ＵＳＢＩ／Ｆ２０５、バッテリー２０６、無線通信用アンテナ２０７、及び近距離無線用アンテナ２０８を備える。制御部２０１は、操作表示部２０２、通話部２０３、音声用アンテナ２０４、ＵＳＢＩ／Ｆ２０５、バッテリー２０６、無線通信用アンテナ２０７、及び近距離無線用アンテナ２０８と夫々接続されている。制御部２０１は、ＣＰＵ２０９、ＲＡＭ２１０、ＲＯＭ２１１、記憶装置２１２、操作表示制御部２１３、通話制御部２１４、ＵＳＢ制御部２１５、無線通信制御部２１６、及び近距離無線制御部２１７の各構成要素を備える。上述した各構成要素はシステムバス２１８を介して互いに接続されている。操作表示部２０２はタッチパネル２１９及び各種キー２２０を備え、通話部２０３はマイク２２１及びスピーカー２２２を備える。
【００１７】
制御部２０１は携帯端末１０１全体を統括的に制御する。ＣＰＵ２０９は、ＲＯＭ２１１等に格納された各種プログラムを実行することによってシステムバス２１８に接続された各構成要素を制御して各種処理を実行する。ＲＡＭ２１０はＣＰＵ２０９の作業領域として用いられ、また、ＲＡＭ２１０は各種データの一時格納領域として用いられる。本実施の形態では、ＲＡＭ２１０は、後述する図４の制御処理で測定されるビーコン信号の受信電波強度の測定値を格納する。ＲＯＭ２１１はＣＰＵ２０９で用いられる各種プログラムや各種データを格納する。本実施の形態では、ＲＯＭ２１１は、後述する図４の制御処理で用いられる、携帯端末１０１のユーザ特定情報を格納する。記憶装置２１２は大容量のプログラムや大容量のデータ等を格納する不揮発性メモリである。操作表示制御部２１３は操作表示部２０２とデータ通信を行う。例えば、操作表示制御部２１３は各種画像を表示するための画像データを操作表示部２０２へ送信する。また、操作表示制御部２１３は、操作表示部２０２のタッチパネル２１９や各種キー２２０のユーザの操作によって設定された設定情報を操作表示部２０２から取得し、取得された設定情報をＣＰＵ２０９が読み込み可能なデータに変換する。通話制御部２１４は通話部２０３とデータ通信を行う。例えば、通話制御部２１４は、通話部２０３のマイク２２１で受信されたユーザの音声を、通信先となる外部装置に送信するための電波に変換し、当該電波を音声用アンテナ２０４を介して上記外部装置へ出力する。また、通話制御部２１４は、外部装置から受信された電波を音声に変換し、当該音声をスピーカー２２２を介して出力する。ＵＳＢ制御部２１５はＵＳＢＩ／Ｆ２０５を介して接続された外部装置とデータ通信や給電処理を行う。無線通信制御部２１６は無線通信用アンテナ２０７を介してＭＦＰ１０２等とＷｉ−ｆｉ通信等の無線通信を行う。近距離無線制御部２１７は、近距離無線用アンテナ２０８を介してＭＦＰ１０２等とＢＬＥ通信等の近距離無線通信を行う。操作表示部２０２は、携帯端末１０１の各種設定を行うための設定画面やユーザへの通知を行う通知画面等を表示する。本実施の形態では、操作表示部２０２は、例えば、後述する図５（ａ）〜図５（ｄ）に示す各種画面を表示する。通話部２０３は外部装置と音声用アンテナ２０４を介して通話処理を行う。ＵＳＢＩ／Ｆ２０５は接続された外部装置とデータ通信を行う。バッテリー２０６は携帯端末１０１全体に電力を供給する。
【００１８】
図３は、図１におけるＭＦＰ１０２の構成を概略的に示すブロック図である。
【００１９】
図３において、ＭＦＰ１０２は、ＭＦＰ制御部３００、操作表示部３０１、プリンタ３０２、スキャナ３０３、ＵＳＢＩ／Ｆ３０４、ＦＡＸＩ／Ｆ３０５、有線ＬＡＮＩ／Ｆ３０６、無線通信用アンテナ３０７、及び近距離無線用アンテナ３０８を備える。ＭＦＰ制御部３００は、操作表示部３０１、プリンタ３０２、スキャナ３０３、ＵＳＢＩ／Ｆ３０４、ＦＡＸＩ／Ｆ３０５、有線ＬＡＮＩ／Ｆ３０６、無線通信用アンテナ３０７、及び近距離無線用アンテナ３０８と夫々接続されている。ＭＦＰ制御部３００は、ＣＰＵ３０９、ＲＡＭ３１０、ＲＯＭ３１１、記憶装置３１２、操作表示制御部３１３、プリンタ制御部３１４、スキャナ制御部３１５、ＵＳＢ制御部３１６、ＦＡＸ制御部３１７、ネットワーク制御部３１８、近距離無線制御部３１９、及び画像処理制御部３２０の各構成要素を備える。上述した各構成要素はシステムバス３２１を介して互いに接続されている。操作表示部３０１はタッチパネル３２２及び各種キー３２３を備える。
【００２０】
ＭＦＰ制御部３００はＭＦＰ１０２全体を統括的に制御する。ＣＰＵ３０９は、ＲＯＭ３１１等に格納された各種プログラムを実行することによってシステムバス３２１に接続された各構成要素を制御して各種処理を実行する。ＲＡＭ３１０はＣＰＵ３０９の作業領域として用いられ、また、ＲＡＭ３１０は各種データの一時格納領域として用いられる。ＲＯＭ３１１はＣＰＵ３０９で用いられる各種プログラムや各種データを格納する。記憶装置３１２は大容量のプログラムや大容量のデータ等を格納する不揮発性メモリである。操作表示制御部３１３は操作表示部３０１とデータ通信を行う。例えば、操作表示制御部３１３は各種画像を表示するための画像データを操作表示部３０１へ送信する。また、操作表示制御部３１３は、操作表示部３０１のタッチパネル３２２や各種キー３２３のユーザの操作によって設定された設定情報を操作表示部３０１から取得し、取得された設定情報をＣＰＵ３０９が読み込み可能なデータに変換する。プリンタ制御部３１４はプリンタ３０２とデータ通信を行う。例えば、プリンタ制御部３１４は、印刷処理を実行する印刷データをプリンタ３０２に送信する。スキャナ制御部３１５はスキャナ３０３に設けられる図示しない原稿検知センサや画像読み取りセンサを含む各種センサを制御し、スキャン処理を実行する。ＵＳＢ制御部３１６はＵＳＢＩ／Ｆ３０４を介して接続された外部装置とデータ通信を行う。ＦＡＸ制御部３１７はＦＡＸＩ／Ｆ３０５とデータ通信を行う。ネットワーク制御部３１８は有線ＬＡＮＩ／Ｆ３０６を介して接続された外部装置と有線通信を行う。また、ネットワーク制御部３１８は無線通信用アンテナ３０７を介して携帯端末１０１等とＷｉ−ｆｉ通信等の無線通信を行う。近距離無線制御部３１９は、近距離無線用アンテナ３０８を介して携帯端末１０１等とＢＬＥ通信等の近距離無線通信を行う。画像処理制御部３２０はスキャナ３０３によって読み取られた画像を画像データに変換し、当該画像データに対して拡大、縮小、モノクロ等の画像処理を施す。操作表示部３０１はＭＦＰ１０２の各種設定を行うための設定メニュー等を表示する。プリンタ３０２は印刷処理を行い、スキャナ３０３はスキャン処理を行う。ＵＳＢＩ／Ｆ２０５は接続された外部装置とデータ通信を行う。ＦＡＸＩ／Ｆ３０５はＦＡＸ通信可能な外部装置とＦＡＸ通信を行う。
【００２１】
図４は、図１における携帯端末１０１で実行される制御処理の手順を示すフローチャートである。
【００２２】
図４の処理は、図２のＣＰＵ２０９がＲＯＭ２１１に格納された各種プログラムを実行することによって行われる。また、図４の処理は、Ｂｌｕｅｔｏｏｔｈ通信が用いられることを前提とし、Ｂｌｕｅｔｏｏｔｈ通信の一例として、ＢＬＥ通信が用いられる場合を前提とする。
【００２３】
ここで、ユーザが携帯端末１０１を用いてＭＦＰ１０２にログインする際、ＭＦＰ１０２は携帯端末１０１から当該携帯端末１０１のユーザ特定情報を取得する必要がある。ＭＦＰ１０２は、ペアリングされた携帯端末１０１からＷｉ−ｆｉ通信によって大容量のユーザ特定情報を取得可能であるが、ペアリングを行う際、ＮＦＣ通信が用いられる場合がある。この場合、ＮＦＣ通信の通信距離はＢｌｕｅｔｏｏｔｈ通信の通信距離より短いため、ユーザがペアリングを行うために携帯端末１０１をＭＦＰ１０２の近距離無線用アンテナ３０８の近傍にかざすといった操作を行う手間が発生する。
【００２４】
これに対応して、本実施の形態では、Ｂｌｕｅｔｏｏｔｈ通信によって定期的に送信されるビーコン信号のうち、予め携帯端末１０１に設定された電波強度（以下、「設定電波強度」という。）以上の受信電波強度の第１の信号が受信された場合、第１の信号の受信電波強度と、第１の信号を受信した後に受信された第２の信号の受信電波強度との差に基づいてＭＦＰ１０２へのログイン処理が行われる。
【００２５】
図４において、まず、ＣＰＵ２０９は、ＭＦＰ１０２から送信されるビーコン信号を受信すると（ステップＳ４０１）、ユーザが携帯端末１０１を用いてＭＦＰ１０２にログインする際に用いられるログインアプリケーションを起動する（ステップＳ４０２）。なお、本実施の形態では、ステップＳ４０２において、図５（ａ）に示すように、ログインアプリケーションの起動をユーザが設定可能な設定画面５０１を操作表示部２０２に表示してもよい。次いで、ＣＰＵ２０９は、受信されたビーコン信号の受信電波強度を測定する（ステップＳ４０３）。
【００２６】
図６は、図１における携帯端末１０１の受信電波強度の特性を説明するための図である。横軸はＭＦＰ１０２との距離を示し、縦軸は携帯端末１０１の受信電波強度を示す。受信電波強度は、図６に示すように、ＭＦＰ１０２との距離が遠くなるにつれて値が小さくなる。次いで、ＣＰＵ２０９は、測定された受信電波強度が設定電波強度以上（閾値以上）であるか否かを判別する（ステップＳ４０４）。受信電波強度の特性は、携帯端末の機種や当該携帯端末の外部に装着されるアクセサリ等によって異なる。また、受信電波強度の特性は、同じ機種の携帯端末であっても、ビーコン信号を送信する送信先の配置状況によっても異なる。そのため、設定電波強度には、近距離無線通信を実行可能な携帯端末が確実に受信可能な電波強度が設定される。例えば、設定電波強度は、図６の携帯端末１０１の受信電波強度の特性において、ＭＦＰ１０２との距離が１ｍ〜３ｍに対応する電波強度である−８０ｄＢｍ〜−７０ｄＢｍが設定される。
【００２７】
ステップ４０４の判別の結果、受信されたビーコン信号の受信電波強度が設定電波強度より小さいとき、ＣＰＵ２０９は、ステップＳ４０３の処理に戻る。一方、ステップ４０４の判別の結果、受信されたビーコン信号の受信電波強度が設定電波強度以上であるとき、当該ビーコン信号を第１の信号とし、その受信電波強度を測定値βとしてＲＡＭ２１０に格納する（ステップＳ４０５）。次いで、ＣＰＵ２０９は第１の信号を受信してから所定の時間、具体的に、１ｍｓｅｃ〜１ｓｅｃ程度が経過した後に受信されたビーコン信号を第２の信号とし、その受信電波強度を測定する（ステップＳ４０６）。次いで、ＣＰＵ２０９は第２の信号の受信電波強度を測定値αとしてＲＡＭ２１０に格納する（ステップＳ４０７）。次いで、ＣＰＵ２０９は、測定値αから測定値βを減算した値が、予め設定された設定値以上であるか否かを判別する（ステップＳ４０８）。設定値は、図７のケース１のように、携帯端末１０１がＭＦＰ１０２に近付いていることを検知可能な値であって、且つ各携帯端末の異なる受信電波強度の特性に基づく値が設定され、例えば、１０ｄＢｍが設定される。これにより、携帯端末毎に受信電波強度の特性が異なっても、各携帯端末がＭＦＰ１０２に近付いていることを確実に検知することが可能となる。
【００２８】
ステップＳ４０８の判別の結果、測定値αから測定値βを減算した値が、予め設定された設定値以上であるとき、ＣＰＵ２０９は携帯端末１０１がＭＦＰ１０２に近付いていると判断する。その後、ＣＰＵ２０９はＢＬＥ通信によってＭＦＰ１０２にペアリング要求を送信する（ステップＳ４０９）。これにより、携帯端末１０１及びＭＦＰ１０２の間でＢＬＥ通信によるペアリングが行われる。次いで、ＣＰＵ２０９は、ＢＬＥ通信より大容量のデータ通信が可能なＷｉ−ｆｉ通信の通信設定処理を行う。具体的に、ＣＰＵ２０９は、ＭＦＰ１０２から当該ＭＦＰ１０２とＷｉ−ｆｉ通信を行うためのＳＳＩＤ等の各種設定情報を取得し、取得された各種設定情報を設定する。これにより、携帯端末１０１及びＭＦＰ１０２の間でＷｉ−ｆｉ通信が実行可能になる。その後、ＣＰＵ２０９は、Ｗｉ−ｆｉ通信により、ＲＯＭ２１１に格納された携帯端末１０１のユーザ特定情報をＭＦＰ１０２に送信する（ステップＳ４１０）（ログイン実行ステップ）。これにより、ＭＦＰ１０２は受信されたユーザ特定情報に基づいてログイン処理を実行する。次いで、ＣＰＵ２０９は、ＭＦＰ１０２によるログイン処理が完了したことを検知すると、操作表示部２０２にログイン処理が完了した旨を通知する図５（ｂ）の通知画面５０２を表示する。次いで、ＣＰＵ２０９は、ログイン処理が完了した後に受信されたビーコン信号である第３の信号の受信電波強度を測定し、第３の信号の受信電波強度が設定電波強度より小さいか否かを判別する（ステップＳ４１１）。ＣＰＵ２０９は、設定電波強度より小さい受信電波強度のビーコン信号を受信するまでステップＳ４１１の処理を実行する。ＣＰＵ２０９は、第３の信号の受信電波強度が設定電波強度より小さいと（ステップＳ４１１でＹＥＳ）、図７のケース２のように、携帯端末１０１がＭＦＰ１０２から設定電波強度に対応する所定の距離以上離れたと判断する。その後、ＣＰＵ２０９はＭＦＰ１０２にログアウト処理の実行要求を送信する（ステップＳ４１２）（ログアウト実行ステップ）。これにより、ＭＦＰ１０２はログアウト処理を実行する。次いで、ＣＰＵ２０９は、ＭＦＰ１０２にペアリング解除要求を送信し、ログインアプリケーションを終了する（ステップＳ４１３）。なお、本実施の形態では、ログインアプリケーションを終了する前に、図５（ｃ）のような、ログインアプリケーションの終了をユーザが設定可能な設定画面５０３を操作表示部２０２に表示してもよい。その後、ＣＰＵ２０９はステップＳ４１３の処理を実行した後に本処理を終了する。
【００２９】
ステップＳ４０８の判別の結果、測定値αから測定値βを減算した値が、予め設定された設定値より小さいとき、ＣＰＵ２０９は、携帯端末１０１がＭＦＰ１０２に近付いていないと判断する。その後、ＣＰＵ２０９は、ビーコン信号を受信し、当該ビーコン信号である第４の信号の受信電波強度を測定し、第４の信号の受信電波強度が設定電波強度以上であるか否かを判別する（ステップＳ４１４）。
【００３０】
ステップＳ４１４の判別の結果、第４の信号の受信電波強度が設定電波強度以上であるとき、ＣＰＵ２０９は第４の信号の受信電波強度を測定値αとしてＲＡＭ２１０に格納し（ステップＳ４１５）、ステップＳ４０８の処理に戻る。一方、ステップＳ４１４の判別の結果、第４の信号の受信電波強度が設定電波強度より小さいとき、ＣＰＵ２０９は、図７のケース２のように、携帯端末１０１がＭＦＰ１０２から設定電波強度に対応する所定の距離以上離れたと判断する。その後、ＣＰＵ２０９はステップＳ４１２以降の処理を行って、本処理を終了する。
【００３１】
上述した図４の処理によれば、設定電波強度以上の受信電波強度の第１の信号が受信された場合、第１の信号の受信電波強度と、第１の信号を受信した後に受信された第２の信号の受信電波強度との差に基づいてＭＦＰ１０２へのログイン処理が行われる。すなわち、携帯端末１０１が受信した各信号の受信電波強度だけに基づいてログイン処理が行われる。これにより、ユーザによる携帯端末１０１等の操作を必要とすることなく、ログイン処理が実行されるので、ログイン処理におけるユーザの手間を軽減することができる。
【００３２】
また、上述した図４の処理では、第２の信号の受信電波強度（測定値β）から第１の信号の受信電波強度（測定値α）を減算した値が、設定された設定値以上である場合、ＭＦＰ１０２へのログイン処理が行われる。ここで、第２の信号の受信電波強度から第１の信号の受信電波強度を減算した値が、設定された設定値以上である場合は、携帯端末１０１がＭＦＰ１０２に近付いている場合である。携帯端末１０１がＭＦＰ１０２に近づいている場合、ユーザがＭＦＰ１０２の利用を望んでいる可能性が高いが、この場合に、ＭＦＰ１０２へのログイン処理が実行されるので、ＭＦＰ１０２の利用を望むユーザをＭＦＰ１０２に確実にログインさせることができる。
【００３３】
上述した図４の処理では、ＭＦＰ１０２へのログイン処理が完了した後に受信された第３の信号の受信電波強度が設定電波強度より小さい場合、ＭＦＰ１０２からのログアウト処理が行われる。これにより、ユーザがログアウト処理の実行を忘れることによって不要にログイン状態が継続することを回避することができる。
【００３４】
また、上述した図４の処理では、無線通信はＢＬＥ通信を含むので、低電力でログイン処理を実行することができる。
【００３５】
以上、本発明について実施の形態を用いて説明したが、本発明は上述した実施の形態に限定されるものではない。
【００３６】
例えば、ＣＰＵ２０９は、携帯端末１０１を所持するユーザが自身の手でＭＦＰ１０２を操作可能な位置に所定の期間以上、例えば、１ｓｅｃ以上留まっていることを検知した場合、ＭＦＰ１０２へのログイン処理を実行してもよい。ここで、ユーザが自身の手でＭＦＰ１０２を操作可能な位置に留まっている場合は、ユーザがＭＦＰ１０２を利用する場合に他ならない。この場合、ＭＦＰ１０２へのログイン処理が実行されるので、ＭＦＰ１０２を利用するユーザを確実にＭＦＰ１０２にログインさせることができる。
【００３７】
また、本実施の形態では、図５（ｄ）に示すように、ログイン処理を実行する旨を通知する通知画面５０４を操作表示部２０２に表示してもよい。これにより、当該ログイン処理がユーザの所望する処理であるか否かをユーザに判断させる機会を与えることができ、もって、ユーザの所望しないログイン処理が行われることを回避することができる。
【００３８】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００３９】
１０１  携帯端末
１０２  ＭＦＰ
２０２  操作表示部
２０９  ＣＰＵ
【図１】
2017069903.tif 000003
【図２】
2017069903.tif 000004
【図３】
2017069903.tif 000005
【図４】
2017069903.tif 000006
【図５】
2017069903.tif 000007
【図６】
2017069903.tif 000008
【図７】
2017069903.tif 000009